(57)【要約】【課題】  既存の高精細画像伝送装置を複数用い、超高精細画像の高品質性を保持したまま遠隔地へ伝送して超高精細画像を容易に可能な画像伝送システムを実現する。【解決手段】  複数の伝送路の中に第１の走査線数しか伝送できない高精細画像の伝送路が含まれていないかの検出を行う伝送能力検出部２１と、複数の伝送路の中に第１の走査線数の画像しか伝送できない伝送路が含まれているとして検出された場合に、第１の走査線数の画像の伝送スタート位置を標準的な第２の走査線数の各分割画像の伝送スタート位置になるように第１の走査線数の画像をシフトする画像シフト部１３ａ〜１３ｄと、シフトされた第１の走査線数の画像を複数の並列伝送路に供給する伝送供給部１５ａ〜１５ｄとを備えて画像伝送システムを構成した。【選択図】      図２
2007172318.tif 000002
【特許請求の範囲】
【請求項１】
ＨＤＴＶ画像よりも高解像度画像を複数の前記ＨＤＴＶ画像に分割する画像伝送装置と、前記複数のＨＤＴＶ画像を伝送可能な第１伝送部及び前記ＨＤＴＶ画像の解像度よりも若干低解像度画像のみしか伝送できない第２伝送部が並列配列された並列伝送部と、前記並列伝送部から伝送された前記複数のＨＤＴＶ画像を受信した後、合成して前記高解像度画像として出力する画像受信装置と、を備えた画像伝送システムにおいて、
前記ＨＤＴＶ画像或いは前記低解像度画像のみしか伝送できないかどうかの信号を前記複数の伝送部から出力させて検出を行う伝送能力検出部と、
前記伝送能力検出部で前記複数の伝送路の中に前記低解像度画像しか伝送できない前記第２伝送部が含まれていると検出された場合に、前記ＨＤＴＶ画像を伝送可能な前記第１伝送部で前記低解像度画像を伝送するスタート位置を前記第１伝送部で前記ＨＤＴＶ画像を伝送するスタート位置に同期合わせするように前記低解像度画像をシフトする画像シフト部と、
前記低解像度画像を前記第２伝送部に供給すると共に、前記画像シフト部でシフトされた前記低解像度画像を前記第１伝送部に供給する伝送供給部と、
を備えたことを特徴とする画像伝送システム。
【請求項２】
ＨＤＴＶ画像よりも高解像度画像を複数の前記ＨＤＴＶ画像に分割する画像伝送装置と、前記複数のＨＤＴＶ画像を伝送可能な第１伝送部及び前記ＨＤＴＶ画像の解像度よりも若干低解像度画像のみしか伝送できない第２伝送部が並列配列された並列伝送部と、前記並列伝送部から伝送された前記複数のＨＤＴＶ画像を受信した後、合成して前記高解像度画像として出力する画像受信装置と、を備えた画像伝送方法において、
前記ＨＤＴＶ画像或いは前記低解像度画像のみしか伝送できないかどうかの信号を前記複数の伝送部から出力させて検出を行い、
前記複数の伝送路の中に前記低解像度画像しか伝送できない前記第２伝送部が含まれていると検出された場合に、前記ＨＤＴＶ画像を伝送可能な前記第１伝送部で前記低解像度画像を伝送するスタート位置を前記第１伝送部で前記ＨＤＴＶ画像を伝送するスタート位置に同期合わせするように前記低解像度画像をシフトし、
前記低解像度画像を前記第２伝送部に供給すると共に、前記シフトされた前記低解像度画像を前記第１伝送部に供給することを特徴とする画像伝送方法。
【発明の詳細な説明】
【技術分野】
【０００１】
本発明は、超高精細画像を複数の高精細画像に分割し、既存の高精細画像伝送路を複数用いて伝送し、画像受信装置で分割された画像を切れ目なく合成して表示させる画像伝送システム及び画像伝送方法に関する。
【背景技術】
【０００２】
最近になり、水平方向１９２０画素、垂直方向１０８０画素の高精細画像の国外からの中継放送もなされる様になる一方、家庭ではディジタル高精細画像を視聴できるようになってきた。業務用途では、水平方向３８４０画素、垂直方向２１６０画素の超高精細画像の撮影、記録、及び表示がなされている。その超高精細画像を遠隔地に伝送して表示できることは好ましい。
一方、超高精細画像の伝送装置は商業用途として実現されてない。そこで、超高精細画像の伝送を複数の高精細画像に分割し、複数の高精細画像伝送装置を用いて遠隔地に伝送すれば、遠隔地で超高精細画像を表示することが出来る。
【０００３】
特許文献１には、次世代放送方式である順次操作方式の高精細画像信号を４分割して後に画素数変換を行うことにより、分割された画像を飛び越し走査信号として後に複数の入手可能な符号化装置を用いて符号化する。圧縮符号化された信号をデータ統合手段で一つのストリームに多重化して伝送するようにした画像伝送装置および画像符号化装置が開示されている。高精細画像信号を４分割した後に従来の標準テレビジョン方式の符号化装置を用い、回路規模やコスト面で困難であった高精細画像信号の符号化を行う。
【特許文献１】特開２０００−５０２６５号公報
【発明の開示】
【発明が解決しようとする課題】
【０００４】
しかしながら、特許文献１に開示されている４分割する手法を参照するのみでは、超高精細画像を複数の高精細画像に４分割し、入手可能な高精細画像伝送路を４つ用いることにより超高精細画像を遠隔地に伝送する画像伝送システムを容易に実現することはできない。
【０００５】
そこで、本発明は、上記のような問題点を解消するためになされたもので、既存の高精細画像伝送装置を複数用い、超高精細画像の高品質性を保持したまま超高精細画像を、容易に遠隔地へ伝送可能とする画像伝送システム及び画像伝送方法を提供することを目的とする。
【課題を解決するための手段】
【０００６】
本願発明における第１の発明は、ＨＤＴＶ画像よりも高解像度画像を複数の前記ＨＤＴＶ画像に分割する画像伝送装置と、前記複数のＨＤＴＶ画像を伝送可能な第１伝送部及び前記ＨＤＴＶ画像の解像度よりも若干低解像度画像のみしか伝送できない第２伝送部が並列配列された並列伝送部と、前記並列伝送部から伝送された前記複数のＨＤＴＶ画像を受信した後、合成して前記高解像度画像として出力する画像受信装置と、を備えた画像伝送システムにおいて、前記ＨＤＴＶ画像或いは前記低解像度画像のみしか伝送できないかどうかの信号を前記複数の伝送部から出力させて検出を行う伝送能力検出部と、前記伝送能力検出部で前記複数の伝送路の中に前記低解像度画像しか伝送できない前記第２伝送部が含まれていると検出された場合に、前記ＨＤＴＶ画像を伝送可能な前記第１伝送部で前記低解像度画像を伝送するスタート位置を前記第１伝送部で前記ＨＤＴＶ画像を伝送するスタート位置に同期合わせするように前記低解像度画像をシフトする画像シフト部と、前記低解像度画像を前記第２伝送部に供給すると共に、前記画像シフト部でシフトされた前記低解像度画像を前記第１伝送部に供給する伝送供給部と、を備えたことを特徴とする画像伝送システムを提供する。
第２の発明は、ＨＤＴＶ画像よりも高解像度画像を複数の前記ＨＤＴＶ画像に分割する画像伝送装置と、前記複数のＨＤＴＶ画像を伝送可能な第１伝送部及び前記ＨＤＴＶ画像の解像度よりも若干低解像度画像のみしか伝送できない第２伝送部が並列配列された並列伝送部と、前記並列伝送部から伝送された前記複数のＨＤＴＶ画像を受信した後、合成して前記高解像度画像として出力する画像受信装置と、を備えた画像伝送方法において、前記ＨＤＴＶ画像或いは前記低解像度画像のみしか伝送できないかどうかの信号を前記複数の伝送部から出力させて検出を行い、前記複数の伝送路の中に前記低解像度画像しか伝送できない前記第２伝送部が含まれていると検出された場合に、前記ＨＤＴＶ画像を伝送可能な前記第１伝送部で前記低解像度画像を伝送するスタート位置を前記第１伝送部で前記ＨＤＴＶ画像を伝送するスタート位置に同期合わせするように前記低解像度画像をシフトし、前記低解像度画像を前記第２伝送部に供給すると共に、前記シフトされた前記低解像度画像を前記第１伝送部に供給することを特徴とする画像伝送方法を提供する。
【発明の効果】
【０００７】
本発明によれば、ＨＤＴＶ画像或いは低解像度画像のみしか伝送できないかどうかの信号を複数の伝送部から出力させて検出を行い、前記複数の伝送路の中に前記低解像度画像しか伝送できない第２伝送部が含まれていると検出された場合に、前記ＨＤＴＶ画像を伝送可能な第１伝送部で前記低解像度画像を伝送するスタート位置を前記第１伝送部で前記ＨＤＴＶ画像を伝送するスタート位置に同期合わせするように前記低解像度画像をシフトし、前記低解像度画像を第２伝送部に供給すると共に、前記シフトされた前記低解像度画像を前記第１伝送部に供給する格別な構成があるので、既存の高精細画像伝送装置を複数用い、超高精細画像の高品質性を保持したまま超高精細画像を、容易に遠隔地へ伝送可能な画像伝送システムを実現できる。
【発明を実施するための最良の形態】
【０００８】
以下に本発明の実施例に係る画像伝送システムについて図１〜図１０を用いて説明する。
図１は、本発明の実施に係る画像伝送システムにの構成例を示すブロック図である。
図２は、本発明の実施に係る画像伝送システムにおける画像伝送装置の構成例を示すブロック図である。
図３は、本発明の実施に係る画像伝送システムにおける送信装置及び受信装置の構成例を示すブロック図である。
図４は、本発明の実施に係る画像伝送システムにおける画像受信装置の構成例を示すブロック図である。
図５は、本発明の実施の動作に係る超高精細画像の分割方法を示す図である。
図６は、本発明の実施に係る走査線数の少ない高精細画像を示す図である。
図７は、本発明の実施に係る画像分割の状態を示す図である。
図８は、本発明の実施に係る分割画像の処理を説明するための図である。
図９は、本発明の実施に係る第１の応用例の超高精細画像の分割方法を示す図である。
図１０は、本発明の実施に係る第２の応用例の超高精細画像の分割方法を示す図である。
【０００９】
その画像伝送システムは既存の高精細画像伝送装置を複数用い、超高精細画像の高品質性を保持したまま超高精細画像を、容易に遠隔地へ伝送可能な画像伝送システムを実現するという目的を、ＨＤＴＶ画像或いは低解像度画像のみしか伝送できないかどうかの信号を複数の伝送部から出力させて検出を行う伝送能力検出部と、前記伝送能力検出部で前記複数の伝送路の中に前記低解像度画像しか伝送できない第２伝送部が含まれていると検出された場合に、前記ＨＤＴＶ画像を伝送可能な第１伝送部で前記低解像度画像を伝送するスタート位置を前記第１伝送部で前記ＨＤＴＶ画像を伝送するスタート位置に同期合わせするように前記低解像度画像をシフトする画像シフト部と、前記低解像度画像を前記第２伝送部に供給すると共に、前記画像シフト部でシフトされた前記低解像度画像を前記第１伝送部に供給する伝送供給部とを備えるようにして実現した。
【００１０】
画像伝送システムの構成について述べる。
図１に示す画像伝送システムは画像処理部１及び制御部２よりなる画像伝送装置１０と、第１〜第４送信装置３ａ〜３ｄと、第１〜第４受信装置４ａ〜４ｄと、画像受信装置５とより構成される。
図２に示す画像伝送装置１０は画素数変換器１１、画像分割器１２、画像シフト器１３ａ〜１３ｄ、エッジ処理器１４ａ〜１４ｄ、及び多重化器１５ａ〜１５ｄよりなる画像処理部１と、伝送パラメータ検出器２１、画像伝送パラメータ決定器２２、及び位置情報生成器２３よりなる制御部２とで構成される。
図３に示す第１送信装置３ａは分離器３１、画像符号化器３２、送信機３３、及び伝送パラメータ情報記憶器３４より構成される。第１受信装置４ａは受信機４１、画像復号化器４２、多重化器４３及び伝送パラメータ情報記憶器４４より構成される。
図４に示す画像受信装置５は、分離器５１ａ〜５１ｄ、伝送パラメータ認識器５２、画像切出し器５３ａ〜５３ｄ、画像シフト器５４ａ〜５４ｄ、画像合成器５５、及び画素数変換器５６より構成される。
【００１１】
画像伝送システムの動作について述べる。
まず、画像伝送装置１０の画像処理部１には水平方向３８４０画素、垂直方向２１６０画素（以降、３８４０×２１６０画素の画像と略記することがある。）の超高精細画像信号が入力される。超高精細画像信号の画素数は、１９２０画素×１０８０画素の高精細画像に比し縦横それぞれが２倍の画素数である。制御部２は第１〜第４送信装置３ａ〜３ｄのそれぞれが伝送可能な高精細画像の走査線数の情報を取得する。標準的な高精細画像１９２０×１０８０画素の画像を伝送できるか、又は１９２０×１０３５画素の標準より小さな画像の高精細画像しか伝送できないかの伝送能力情報が取得される。第１〜第４送信装置３ａ〜３ｄの中に１９２０×１０３５画素しか伝送出来ない装置が検出された場合に、制御部２は画像処理部１に対して３８４０×２１６０画素の超高精細画像を３６８０×２０７０画素の画像信号に画素数変換をさせる。
【００１２】
画像処理部１は３６８０×２０７０画素の画像を４つの１８４０×１０３５画素の画像に分割する。分割された画像は第１〜第４送信装置３ａ〜３ｄにより符号化されて送信される。１９２０×１０８０画素の伝送能力を有する送信装置は、１８４０×１０３５画素の画像の走査開始位置を、１９２０×１０８０画素の画像の走査開始位置と同一の位置になるように画像をシフトして後に符号化し、符号化して得られた符号化信号を送信する。画像がシフトされて生じる、画面の下側及び右側の黒レベル領域は、後述のように伝送される画像で置換される。黒レベル領域を含む画像は符号化効率を悪化させ、符号化歪が生じやすい。黒レベルの画像領域が伝送する画像信号で置換された画像は符号化効率を良好に保つ。符号化された画像、分割画像のシフトに係るシフト量情報、及び超高精細画像信号に対する分割画像の位置情報（配置に係る象限情報）は高周波信号に変換されて空間伝送路に送信される。
【００１３】
第１〜第４受信装置４ａ〜４ｄは送信されたそれぞれの高周波信号を受信し、符号化された画像信号を復号化する。復号化して得られた分割画像を、シフト量情報に基づいて所定の位置にシフトした分割再生画像を生成する。４台の受信装置から得られた分割再生画像は、配置に係る象限情報に基づいて配置され３６８０×２０７０画素の超高精細画像信号として得られる。３６８０×２０７０画素の超高精細画像信号は画素数変換が行われ３８４０×２１６０画素の超高精細画像として得られる。
【００１４】
以下、詳細に説明する。
図２を参照し画像伝送装置１０について述べる。
制御部２の伝送パラメータ検出器２１は、第１〜第４送信装置３ａ〜３ｄのそれぞれから伝送能力情報を取得する。画像伝送パラメータ決定器２２は取得された伝送能力情報を比較し、最も小さな伝送能力情報を参照して画像伝送パラメータを決定する。画像処理部１の画素数変換器１１は画像伝送パラメータに従って、入力される３８４０×２１６０画素の超高精細画像を縮小された、例えば、３６８０×２０７０画素の超高精細画像に変換する。画像分割器１２は３６８０×２０７０画素の超高精細画像を４つの１８４０×１０３５の高精細画像に分割する。
【００１５】
位置情報生成器２３は３６８０×２０７０画素の超高精細画像を構成するそれぞれの分割画像に係る位置情報を作成する。位置情報は、伝送可能な１９２０×１０８０の画像領域のどの位置に１８４０×１０３５画素の画像を配置させるかの位置に係る情報である。ここでは、１８４０×１０３５画素の画像の走査開始位置を１９２０×１０８０の画像の走査開始位置に合わせる位置に配置させるための位置情報を生成する。画像処理部１の画像シフト器１３ａ〜１３ｄは位置情報生成器２３で生成された位置情報に従った位置に分割画像をシフトする。エッジ処理器１４ａ〜１４ｄは分割画像がシフトされて生じた画像信号の存在しない、或いは黒レベルの輝度信号とされる黒レベルの領域を分割画像中で置換する。多重化器１５ａ〜１５ｄはエッジ処理器１４ａ〜１４ｄから出力される黒レベルの置換された分割画像と、位置情報生成器２３で得られるそれぞれの分割画像に係る配置情報とを多重化する。多重化して得られた信号は画像伝送装置１０から出力され、第１〜第４送信装置３ａ〜３ｄに供給される。
【００１６】
図３を参照し、第１送信装置３ａ及び第１受信装置４ａについて述べる。第２〜第４送信装置３ｂ〜３ｄ及び第２〜第４受信装置４ｂ〜４ｄは第１送信装置３ａ及び第１受信装置４ａと同様に動作する。
分離器３１は多重化器１５ａで多重化された分割画像と配置情報とを分離する。画像符号化器３２は分割画像の符号化を行う。符号化は、例えば分割画像は１６×１６画素のマクロブロックに分割される。マクロブロックは４つの８×８画素の輝度信号ブロックと８×８画素の赤、青に係る色信号ブロックにされる。それらのブロック信号は動き予測され、直交変換がなされて係数データが得られる。係数データは量子化されて量子化データが得られ、量子化データは可変長符号化されて符号化信号が得られる。伝送パラメータ情報記憶器３４は第１送信装置３ａが送信可能な画像等に係る伝送パラメータ情報を記憶している。画像伝送装置１０の伝送パラメータ検出器２１からの要求に応じ、記憶されている伝送パラメータ情報を出力する。
送信機３３は分離器３１で分離されたシフト量情報を含む配置情報、画像符号化器３２で得られた符号化信号、及び伝送パラメータ情報をパケット化し、高周波信号に変換して空間伝送路に図示しないアンテナを介して送信する。
【００１７】
第１受信装置４ａの受信機４１は送信された高周波信号を図示しないアンテナを介して取得し、送信された配置情報、符号化信号、及び伝送パラメータ情報を得る。画像復号化器４２は符号化信号を復号化し分割画像を得る。多重化器４３は分割画像と配置情報を多重化して出力する。伝送パラメータ情報記憶器４４には受信された伝送パラメータ情報が入力され、記憶される。
【００１８】
図４を参照して画像受信装置について述べる。
分離器５１ａ〜５１ｄは第１〜第４受信装置４ａ〜４ｄのそれぞれの多重化器４３で多重化して得られた信号を分離し分割画像及び配置情報を得る。画像切出し器５３ａ〜５３ｄは受信して得られた１９２０×１０８０画素の画像信号から１８４０×１０３５画素の分割画像を、配置情報を基に切り出す。受信装置により１８４０×１０３５画素の分割画像のみが得られる場合には１８４０×１０３５画素の分割画像を切り出された分割画像として得る。画像シフト器５４ａ〜５４ｄは切り出された分割画像を、配置情報を基に１９２０×１０８０画素の画像領域中の指定される位置に移動する。画像合成器５５は画像シフト器５４ａ〜５４ｄから得られる４つの分割画像を合成して３６８０×２０７０画素の超高精細画像を生成する。伝送パラメータ認識器５２は、第１〜第４受信装置４ａ〜４ｄのそれぞれに要求して得られる伝送パラメータ情報と、分離器５１ｄを介して得られる画像伝送装置１０の画像伝送パラメータ決定器２２で決定された画像伝送パラメータとを基に、３８４０×２１６０画素の画像プレーン中に配置される３６８０×２０７０画素の画像の位置を認識する。画素数変換器５６は３６８０×２０７０画素の画像を３８４０×２１６０画素の超高精細画像に変換して出力する。
【００１９】
分割画像の配置についてさらに述べる。
図５に示す超高精細画像の高精細画像への分割は、第１〜第４送信装置３ａ〜３ｄの送信装置の全てが１９２０×１０８０画素の画像信号の画像を伝送可能な場合の分割方法である。３８４０×２１６０画素の画像はそのまま４つの１９２０×１０８０画素の画像に分割されて、送信される。画像受信装置５は画素数変換器５６で画素数の変換を行うことなく３８４０×２１６０画素の超高精細画像を得る。
【００２０】
図６は送信装置が伝送する画像データを表示領域により示したものである。
同図（Ａ）は、１９２０×１０３５画素の高精細画像までしか伝送能力を有しない送信装置が伝送可能な領域を、網点を付さない白領域により示す。即ち、１９２０×１０８０画素の高精細画像のうち、網点を付して示される領域が画像信号を送信できない領域である。
（Ｂ）に示す領域は送信装置が伝送する画像領域である。網点が付されない１９２０×１０８０画素の画像信号領域は、１９２０×１０８０画素の高精細画像を画素アスペクト比を変更せずに伝送可能な１８４０×１０３５画素の画像領域として示している。
【００２１】
図７は、画素数変換器１１でなされる３８４０×２１６０画素の画像を３６８０×２０７０画素の画像に変換した場合の画像領域を示す。
同図に示す（Ａ）は、１８４０×１０３５画素の画素数変換された画像は中央に集められて配置される。即ち、画像（ａａ）は右下方向、（ｂｂ）は左下、（ｃｃ）は右上、（ｄｄ）は左上方向に配置されている。
（Ｂ）はこれらの画像を画像シフト器１３ａ〜１３ｄにより左上方向にシフトした状態の画像配置である。全ての画像を左上方向にシフトすることにより、１９２０×１０８０画素の画像と１８４０×１０３５画素の画像との走査開始位置が共通となる。画像の走査開始位置を画面の左上とすることにより、画像符号化器３２での符号化効率を高めることが出来る。符号化歪の発生を低減できる。即ち、画像の存在しない黒レベルの領域と画像が存在する領域とを含むマクロブロックを直交変換する場合に交流レベルの大きな係数データが得られてしまう。表示される画像のみを直交変換する場合の交流レベルは所定の範囲に保たれるため、符号化及び復号化により生じる歪成分を通常の符号化時と同じレベルに保つことが出来る。
【００２２】
図８は、表示画像と黒レベルの画像が含まれる第１０３５走査線近傍のマクロブロックの状態と、そのマクロブロックの状態を拡大して示したものである。拡大図において、１１本の走査線には画像データが記述され、第１０３６走査線以降は黒レベルの画像データが記述される。このマクロブロックの符号化時にも上記と同様の符号化歪が発生する。そこで、黒レベルである５本の走査線のデータを画像データに置換する。拡大図では１個上に配置されるブロックの走査線５本分のデータを黒レベルの領域にコピーしている。置換方法は、例えば第１０３４走査線のデータを第１０３６〜第１０４０の走査線にコピーするようにしても良い。第１０３５走査線には画素数変換器１１で走査線変換時に生じた端部歪が含まれる場合があるが、第１０３４走査線は端部歪の含まれない正常な画像データである可能性が高く、正常な画像データにより置換される。
【００２３】
以上のように、本実施例で示した画像伝送システムによれば、ＨＤＴＶ画像或いは低解像度画像のみしか伝送できないかどうかの信号を複数の伝送部から出力させて検出を行う伝送能力検出部２１と、前記伝送能力検出部で前記複数の伝送路の中に前記低解像度画像しか伝送できない第２伝送部が含まれていると検出された場合に、前記ＨＤＴＶ画像を伝送可能な第１伝送部で前記低解像度画像を伝送するスタート位置を前記第１伝送部で前記ＨＤＴＶ画像を伝送するスタート位置に同期合わせするように前記低解像度画像をシフトする画像シフト部１３ａ〜１３ｄと、前記低解像度画像を前記第２伝送部に供給すると共に、前記画像シフト部でシフトされた前記低解像度画像を前記第１伝送部に供給する伝送供給部１５ａ〜１５ｄとを備える格別な構成があるので、既存の高精細画像伝送装置を複数用い、超高精細画像の高品質性を保持したまま超高精細画像を、容易に遠隔地へ伝送できる画像伝送システムを実現できる。
【００２４】
図９を参照して画像伝送システムの第１の応用例について述べる。
この応用例では４台の高精細画像生成装置で生成された（ａ）（ｂ）（ｃ）（ｄ）の画像を合成して３８４０×２１６０画素の超高精細画像として表示する場合の例である。４つの高精細画像生成装置で生成された（ａ）（ｂ）（ｃ）（ｄ）の各画像はそれぞれ異なるサイズの画像である。それらの画像の表示は画像（ａ）（ｂ）（ｃ）（ｄ）を接する位置に配置して表示する。
それぞれの画像（ａ）（ｂ）（ｃ）（ｄ）は独立した個別の画像であり、それらの画像の伝送は、画像の左上を走査開始位置として伝送する。画像受信装置５がそれらの画像を受信して表示する場合には、画像切出し器５３ａ〜５３ｄにより表示される画像部分を切り出し、画像シフト器５４ａ〜５４ｄにより画像が中点Ｏで接するように図示しない制御部により画像をシフトさせて表示する。それらの画像は符号化歪を含まなく、且つ画像間に境目のない超高精細画像として表示することが出来る。
【００２５】
図１０を参照して画像伝送システムの第２の応用例について述べる。
この例は、表示領域に表示される画像は３８４０×２１６０画素の画像であるが、それらを構成する４つの画像領域のそれおぞれは１９２０×１０８０画素の領域とは異なる画像サイズである。例えば画像（ａ）はコンピュータグラフィクスなどで生成された１９２０×１０８０画素を越える表示領域の画像であり、画像(ｂ)は縦長の画像である。画像（ｃ）（ｄ）も１９２０×１０８０画素の領域とは異なるサイズの画像である。第２の応用例も上記と同様、図示しない制御部により制御して画像切出し器５３ａ〜５３ｄで表示画像部分を切り出させ、画像シフト器５４ａ〜５４ｄで画像を中点Ｏで接するようにシフトさせて表示することにより、伝送時の符号化歪を含まなく、且つ画像間に境目のない超高精細画像として表示する。
【産業上の利用可能性】
【００２６】
超高精細画像を複数の高精細画像に分割し、既存の高精細画像伝送路を複数用いて超高精細画像を切れ目なく合成して表示する画像伝送システムに適用できる。
【図面の簡単な説明】
【００２７】
【図１】本発明の実施に係る画像伝送システムにの構成例を示すブロック図である。
【図２】本発明の実施に係る画像伝送システムにおける画像伝送装置の構成例を示すブロック図である。
【図３】本発明の実施に係る画像伝送システムにおける送信装置及び受信装置の構成例を示すブロック図である。
【図４】本発明の実施に係る画像伝送システムにおける画像受信装置の構成例を示すブロック図である。
【図５】本発明の実施の動作に係る超高精細画像の分割方法を示す図である。
【図６】本発明の実施に係る走査線数の少ない高精細画像を示す図である。
【図７】本発明の実施に係る画像分割の状態を示す図である。
【図８】本発明の実施に係る分割画像の処理を説明するための図である。
【図９】本発明の実施に係る第１の応用例の超高精細画像の分割方法を示す図である。
【図１０】本発明の実施に係る第２の応用例の超高精細画像の分割方法を示す図である。
【符号の説明】
【００２８】
１    画像処理部
２    制御部
３ａ〜３ｄ    第１〜第４送信装置
４ａ〜４ｄ    第１〜第４受信装置
５    画像受信装置
１０    画像伝送装置
１１    画素数変換器
１２    画像分割器
１３ａ〜１３ｄ    画像シフト器
１４ａ〜１４ｄ    エッジ処理器
１５ａ〜１５ｄ    多重化器
２１    伝送パラメータ検出器
２２    画像伝送パラメータ決定器
２３    位置情報生成器
３１    分離器
３２    画像符号化器
３３    送信機
３４    伝送パラメータ情報記憶器
４１    受信機
４２    画像復号化器
４３    多重化器
４４    伝送パラメータ情報記憶器
５１ａ〜５１ｄ    分離器
５２    伝送パラメータ認識器
５３ａ〜５３ｄ    画像切出し器
５４ａ〜５４ｄ    画像シフト器
５５    画像合成器
５６    画素数変換器
【図１】
2007172318.tif 000003
【図２】
2007172318.tif 000004
【図３】
2007172318.tif 000005
【図４】
2007172318.tif 000006
【図５】
2007172318.tif 000007
【図６】
2007172318.tif 000008
【図７】
2007172318.tif 000009
【図８】
2007172318.tif 000010
【図９】
2007172318.tif 000011
【図１０】
2007172318.tif 000012